(57)【要約】【課題】材質面において、軽量且つ頑丈で破損し難い格段の耐久性を有し、ＨＡＣＣＰ等の安全基準に則して製品の品質への影響が極めて少ない外、安全性が高く、また、ワーク（製品）が滑らずに安定して取り扱い易いようにした簀子を得る。【解決手段】基本的な構成は、ワークを載せるための複数の平行なリブ付中空アルミニウム製上型材と、該上型材の裏面に対して直交する方向に配置させて該上型材と一体的に溶着させた複数の中空アルミニウム製下型材とから構成されるものであり、前記下型材の裏側の所要個所に合成ゴムその他の弾性材を主材として成型された緩衝駒を付着する。【選択図】図２
0003103282.tif 000002
【実用新案登録請求の範囲】
【請求項１】
ワークを載せるための複数の平行なリブ付中空アルミニウム製上型材１と、該上型材１の裏面３に対して直交する方向に配置させて該上型材１と一体的に溶着させた複数の中空アルミニウム製下型材４とを含むことを特徴とするアルミニウム製型材を用いた簀子。
【請求項２】
前記下型材４の裏側の所要個所に合成ゴムその他の弾性材を主材として成型された緩衝駒７を付着した請求項１記載のアルミニウム製型材を用いた簀子。
【請求項３】
前記上型材１の上面に１つ以上の線条溝５を付設した請求項１又は２記載のアルミニウム製型材を用いた簀子。
【考案の詳細な説明】
【技術分野】
【０００１】  本考案は、主として、食品工場や水産加工場等において、床面が汚れやすく水等により頻繁に洗浄を必要とする場所或いは保管中の製品の品質を保持する為の低温度維持の部屋等のような環境下でも長期に亘って安全且つ衛生的に使用できるようにしたアルミニウム製型材を用いた簀子に関するものである。
【背景技術】
【０００２】  年々、食品工場や水産加工場など、ＨＡＣＣＰ（Ｈａｚａｒｄ  Ａｎａｌｙｓｉｓ  Ｃｒｉｔｉｃａｌ  Ｃｏｎｔｒｏｌ  Ｐｏｉｎｔ）（危害分析重要管理点）の導入などによって品質管理が徹底されるようになり、製品への異物の付着や細菌汚染等原材料から製品に至るまでの原料、製造工程、流通といった過程における危害原因の排除が徹底されるようになってきている。【０００３】  従来、簀子においても材質として一般に木製或いは樹脂製が広く使用されているが、木製の場合は、吸水性があり、黴などの細菌の温床となりやすい。また、表面材と桁材とを固定する為に金属製の釘を使用しているので、経年劣化と共に緩みが生じる外、特に、鉄製の釘の場合には錆の発生もあって使用できなくなるケースもある。【０００４】  また、樹脂製の場合は、軽量ではあるが、衝撃に弱く破損し易いだけでなく、低い温度では脆化がより進行する。【０００５】  更に、衝撃を受けた際に破損した破片が飛散し、それによって製品等に混入するなどの二次災害を引き起こす可能性も発生する。【０００６】  このような木製或いは樹脂製の破片等が仮に製品等に混入した場合には、現状の異物除去装置等ではそれらの混入異物を完璧に判別するのは難しいのが現状であり、除去するに至っては極めて困難である。【０００７】  更に、簀子が劣化して使用できなくなったものは、構内の片隅に積み置きされて美観を損なう惧れもある。【０００８】  これらの廃棄された簀子は、最終的には、産業廃棄物として焼却処分となり、環境汚染の原因にもなっている。
【考案の開示】
【考案が解決しようとする課題】
【０００９】  そこで、本考案は、材質面において、軽量且つ頑丈で破損し難い格段の耐久性を有し、ＨＡＣＣＰ等の安全基準に則して製品の品質への影響が極めて少ない外、安全性が高く、又、ワーク（製品）が滑らずに安定して取り扱い易いようにした簀子を得ようとするものである。
【課題を解決するための手段】
【００１０】  本考案は、上記の如き観点に鑑みてなされたものであって、その基本的な構成は、ワークを載せるための複数の平行なリブ付中空アルミニウム製上型材と、該上型材の裏面に対して直交する方向に配置させて該上型材と一体的に溶着させた複数の中空アルミニウム製下型材とから構成されてなるアルミニウム製型材を用いた簀子を提供しようとするものであり、この場合、上型材と下型材とは同一のリブ付中空アルミニウム製型材を使用すれば組立作業や在庫管理に至便である。【００１１】  そして、前記下型材の裏側の所要個所に合成ゴムその他の弾性材を主材として成型された緩衝駒を付着したアルミニウム製型材を用いた簀子を提供しようとするものである。【００１２】  さらに、前記上型材の上面に１つ以上の線条溝を付設したアルミニウム製型材を用いた簀子を提供しようとするものである。
【考案の効果】
【００１３】  本考案に係るアルミニウム製型材を用いた簀子は、上記の如き手段を講じてあるから、全体が軽量であり、そのために搬送や持ち運びが極めて容易に行えるだけでなく、表面が非常に滑らかであり、汚れが付着しても洗浄がし易い。【００１４】  そして、従来の木製或いは樹脂製の簀子と比較して強度があり、破損の惧れが全く無いから、異物の原因とはなり難く、殊に食品のワーク加工作業には頗る安全性が高く好適であり、又、ワークが滑らずに安定して取り扱えるものであるから作業性に優れているものである。【００１５】  更に、将来的に腐食その他で劣化して使用に耐えられない状態になって廃棄処分される場合でも、アルミ素材としてリサイクルが可能であって有効な資源の回収を図ることができる等の幾多の実用的効果を発揮するものである。
【考案を実施するための最良の形態】
【００１６】  以下、図面を参照しながら説明する。
図１は本考案一実施例の構成を示す表面側から見た斜視図、図２は同じく裏面側から見た斜視図、図３は本考案一実施例の簀子を構成するリブ付中空アルミニウム製型材の構造を示す一部拡大斜視図、図４は本考案一実施例の簀子を構成する下型材の裏側の所要個所に合成ゴムその他の弾性材を主材として成型された緩衝駒を付着した状態の一例を示す要部拡大断面した一部斜視図、図５は同緩衝駒の構造を示す拡大斜視図である。【００１７】  ワークを載せるための六本の中空アルミニウム製上型材１を若干の等しい間隔をおいて平行に並べて置く。前記上型材１には中空の空間を真二つに仕切る垂直なリブ２が一体に形成されており、該リブ２によって該上型材１の物理的強度を堅牢にしてある。【００１８】  前記上型材１の裏面３には、該上型材１に対して直交する方向に三本の中空アルミニウム製下型材４を両端部側と中央部との等間隔に配置し、該下型材４と上型材１とを一体的に溶着して全体を一体構成としてある。この場合、該中空アルミニウム製上下型材１，４の端面は同一部材を使用して溶接により塞いである。【００１９】  前記上型材１の上面には、例えば、深さ約０．５ｍｍ程度の型材方向に沿って平行する多数の線条溝５が付設され、それによって型材１の強度が補強されると共に、ワークが滑らずに安定して取り扱うことができる。【００２０】  前記各下型材４の両端部付近にはそれぞれ所定大きさの丸孔６が開けられており、該丸孔６には合成ゴムその他の弾性材を主材として成型された緩衝駒７が嵌着されている。【００２１】  前記緩衝駒７は、例えば、直径５ｃｍ程度の大きさであって、前記丸孔６の径と略同径の中間部の括れ部８を介して、その上下に該括れ部８の径より大径のテーパー付頭部９と基部１０が一体に形成されている。【００２２】  前記緩衝駒７は、前記下型材４の丸孔６に対してその頭部９から押し込めば、該頭部９はそのテーパーに案内されて収縮して該丸孔６の中に圧入し、該丸孔６を通り抜ける途端に該頭部９は復元して膨大し、括れ部８が該丸孔６に嵌合し、該緩衝駒７は該下型材４の裏面に対してその基部１０が取り付いた状態で固定される。それによって簀子は該各基部１０によりフロア面に対して支持される。【００２３】  この場合、上型材１と下型材４とは同一のリブ付中空アルミニウム製型材を使用すれば組立作業や在庫管理に極めて便利である。
【図面の簡単な説明】
【００２４】
【図１】本考案一実施例の構成を示す表面側から見た斜視図である。
【図２】同じく裏面側から見た斜視図である。
【図３】本考案一実施例の簀子を構成するリブ付中空アルミニウム製型材の構造を示す一部拡大斜視図である。
【図４】本考案一実施例の簀子を構成する下型材の裏側の所要個所に合成ゴムその他の弾性材を主材として成型された緩衝駒を付着した状態の一例を示す要部拡大断面した一部斜視図である。
【図５】同緩衝駒の構造を示す拡大斜視図である。
【符号の説明】
【００２５】  １  中空アルミニウム製上型材
２  リブ
３  上型材１の裏面
４  中空アルミニウム製下型材
５  線条溝
６  丸孔
７  緩衝駒
８  括れ部
９  テーパー付頭部
１０  基部
【図１】
0003103282.tif 000003
【図２】
0003103282.tif 000004
【図３】
0003103282.tif 000005
【図４】
0003103282.tif 000006
【図５】
0003103282.tif 000007